(57)【要約】      （修正有）【課題】着用したままで口とマスクとの間に空間をあけることができ、例えば、飲食や鼻咽頭スワブ検査を行いやすくすることができるマスクを提供する。【解決手段】不織布または紙で構成されており、使用者の顔面の一部を覆う顔面被覆部１０と、顔面被覆部１０の左右両側に備えられている固定部２０と、を有しており、顔面被覆部１０の左側半分の領域には第１の谷折り線１１１と第１の山折り線１２１が存在し、右側半分の領域には第２の谷折り線１１２と第２の山折り線１２２が存在しており、平面載置状態において、第１の谷折り線１１１と第２の谷折り線１１２とによって形成される第１の角αと、第１の山折り線１２１と第２の山折り線１２２とによって形成される第２の角βが鈍角である。【選択図】図１
0003234503.tif 000002
【実用新案登録請求の範囲】
【請求項１】
不織布または紙で構成されており、使用者の顔面の一部を覆う顔面被覆部と、
前記顔面被覆部の左右両側に備えられている固定部と、を有しており、
前記顔面被覆部の左側半分の領域には第１の谷折り線と第１の山折り線が存在し、右側半分の領域には第２の谷折り線と第２の山折り線が存在しており、
平面載置状態において、前記第１の谷折り線と前記第２の谷折り線とによって形成される第１の角と、前記第１の山折り線と前記第２の山折り線とによって形成される第２の角が鈍角であるマスク。
【請求項２】
前記第１の山折り線は前記第１の谷折り線よりも下側に存在しており、
前記第２の山折り線は前記第２の谷折り線よりも下側に存在している請求項１に記載のマスク。
【請求項３】
前記第１の谷折り線、前記第２の谷折り線、前記第１の山折り線及び前記第２の山折り線は、前記顔面被覆部の上側半分の領域にのみ存在している請求項１または２に記載のマスク。
【請求項４】
第３の谷折り線が前記第１の角の頂点と前記第２の角の頂点を結ぶ線分と重なって存在している請求項１〜３のいずれか一項に記載のマスク。
【請求項５】
第３の山折り線が、前記第１の角の頂点から前記第１の角の頂点と前記第２の角の頂点を結ぶ線分の延在方向にのびている直線と重なって存在している請求項１〜４のいずれか一項に記載のマスク。
【請求項６】
第４の山折り線が、前記第２の角の頂点から前記第１の角の頂点と前記第２の角の頂点を結ぶ線分の延在方向にのびている直線と重なって存在している請求項１〜５のいずれか一項に記載のマスク。
【請求項７】
前記第１の谷折り線と前記第１の山折り線が平行であり、
前記第２の谷折り線と前記第２の山折り線が平行である請求項１〜６のいずれか一項に記載のマスク。
【請求項８】
前記第１の角と前記第２の角の角度は同じ大きさである請求項１〜７のいずれか一項に記載のマスク。
【請求項９】
前記顔面被覆部の上側半分の領域にのみ前記固定部が固定されている請求項１〜８のいずれか一項に記載のマスク。
【請求項１０】
前記マスクは、食事をする際に着用するものである請求項１〜９のいずれか一項に記載のマスク。
【考案の詳細な説明】
【技術分野】
【０００１】
本考案は、マスクに関するものである。
【背景技術】
【０００２】
従来、用途に応じて様々なマスクの開発が行われている。
【０００３】
例えば、特許文献１には、利用者の鼻及び口の周辺を覆うマスク本体と、該マスク本体の左右上方部に設けられた利用者の耳に掛けられる耳掛け部と、該マスク本体の下端に設けられた重りを兼ねた線状の形状保持部材とを備えており、装着したままで飲食が可能であると共に、極力、口から出る飛沫を防ぐことのできるマスクについて記載されている。
【０００４】
特許文献２には、耳掛けを有し、装着者の口と目を露出させた状態で鼻の上部を覆って顔面に装着される装着部と、前記装着部に上端が固定され、装着者の鼻から口を覆うフィルター部とを備え、装着者が下を向いたときに、前記フィルター部の下方と装着者の口との間に飲食のための隙間が形成されるマスクについて記載されている。
【先行技術文献】
【特許文献】
【０００５】
【特許文献１】実用新案登録第３２２９０８５号公報
【特許文献２】実用新案登録第３２３１６４７号公報
【考案の概要】
【考案が解決しようとする課題】
【０００６】
しかし、特許文献１に記載されているマスクにおいては、重りが設けられているため、着用時にその重みによるわずらわしさを感じたり、その重みによって耳掛け部が耳にかける負担を増やしやすいという問題があった。
【０００７】
特許文献２に記載されているマスクにおいては、使用者が下を向かなければ口との間に飲食のための隙間が形成されないため、使用者が猫背になりやすく、姿勢が悪くなりやすかった。また、鼻咽頭スワブ検査の際には上を向く必要があるため、マスクを外すか、フィルター部を持ち上げた状態で保持しておく必要があった。
【０００８】
本考案は前記事情に鑑みてなされたものであり、その目的は、着用したままで口とマスクとの間に空間をあけることができ、例えば、飲食や鼻咽頭スワブ検査を行いやすくすることができるマスクを提供することにある。
【課題を解決するための手段】
【０００９】
上記課題を解決できた本考案のマスクの一実施形態は、不織布または紙で構成されており、使用者の顔面の一部を覆う顔面被覆部と、顔面被覆部の左右両側に備えられている固定部と、を有しており、顔面被覆部の左側半分の領域には第１の谷折り線と第１の山折り線が存在し、右側半分の領域には第２の谷折り線と第２の山折り線が存在しており、平面載置状態において、第１の谷折り線と第２の谷折り線とによって形成される第１の角と、第１の山折り線と第２の山折り線とによって形成される第２の角が鈍角であることに要旨を有する。第１の谷折り線、第２の谷折り線、第１の山折り線及び第２の山折り線部分で顔面被覆部を折り曲げることなく着用することにより、口や鼻から飛沫が飛散することを抑制することができる。また、マスクを着用したまま第１の谷折り線、第２の谷折り線、第１の山折り線及び第２の山折り線部分を折り曲げることにより、口とマスクとの間に空間をあけることができる。これにより、例えば、マスクを着用したまま飲食をすることや、鼻咽頭スワブ検査を行うことができる。
【００１０】
第１の山折り線は第１の谷折り線よりも下側に存在しており、第２の山折り線は第２の谷折り線よりも下側に存在していることが好ましい。
【００１１】
第１の谷折り線、第２の谷折り線、第１の山折り線及び第２の山折り線は、顔面被覆部の上側半分の領域にのみ存在していることが好ましい。
【００１２】
第３の谷折り線が第１の角の頂点と第２の角の頂点を結ぶ線分と重なって存在していることが好ましい。
【００１３】
第３の山折り線が、第１の角の頂点から第１の角の頂点と第２の角の頂点を結ぶ線分の延在方向にのびている直線と重なって存在していることが好ましい。
【００１４】
第４の山折り線が、第２の角の頂点から第１の角の頂点と第２の角の頂点を結ぶ線分の延在方向にのびている直線と重なって存在していることが好ましい。
【００１５】
第１の谷折り線と第１の山折り線が平行であり、第２の谷折り線と第２の山折り線が平行であることが好ましい。
【００１６】
第１の角と第２の角の角度は同じ大きさであることが好ましい。
【００１７】
顔面被覆部の上側半分の領域にのみ固定部が固定されていることが好ましい。
【００１８】
上記マスクは、食事をする際に好適に着用することができるものである。
【考案の効果】
【００１９】
本考案のマスクは、第１の谷折り線、第２の谷折り線、第１の山折り線及び第２の山折り線部分で顔面被覆部を折り曲げることなく着用することにより、口や鼻から飛沫が飛散することを抑制することができる。また、マスクを着用したまま第１の谷折り線、第２の谷折り線、第１の山折り線及び第２の山折り線部分を折り曲げることにより、口とマスクとの間に空間をあけることができる。これにより、例えば、マスクを着用したまま飲食をすることや、鼻咽頭スワブ検査を行うことができる。
【図面の簡単な説明】
【００２０】
【図１】本考案のマスクの一実施形態を示す平面図を表す。
【図２】本考案の一実施形態に係るマスクを着用している状態を示す側面図を表す。
【図３】本考案の一実施形態に係るマスクを着用している状態を示す側面図を表す。
【考案を実施するための形態】
【００２１】
以下、本考案に関して、図面を参照しつつ具体的に説明するが、本考案はもとより図示例に限定される訳ではなく、前・後記の趣旨に適合し得る範囲で適当に変更を加えて実施することも可能であり、それらはいずれも本考案の技術的範囲に包含される。
【００２２】
上記課題を解決できた本考案のマスクの一実施形態は、不織布または紙で構成されており、使用者の顔面の一部を覆う顔面被覆部と、顔面被覆部の左右両側に備えられている固定部と、を有しており、顔面被覆部の左側半分の領域には第１の谷折り線と第１の山折り線が存在し、右側半分の領域には第２の谷折り線と第２の山折り線が存在しており、平面載置状態において、第１の谷折り線と第２の谷折り線とによって形成される第１の角と、第１の山折り線と第２の山折り線とによって形成される第２の角が鈍角であることに要旨を有する。第１の谷折り線、第２の谷折り線、第１の山折り線及び第２の山折り線部分で顔面被覆部を折り曲げることなく着用することにより、口や鼻から飛沫が飛散することを抑制することができる。また、マスクを着用したまま第１の谷折り線、第２の谷折り線、第１の山折り線及び第２の山折り線部分を折り曲げることにより、口とマスクとの間に空間をあけることができる。これにより、例えば、マスクを着用したまま飲食をすることや、鼻咽頭スワブ検査を行うことができる。
【００２３】
本明細書内において、マスクの裏面とはマスクを着用した際に使用者側にくる面を指し、マスクの表面とはマスクの裏面の反対側、即ち外側の面を指す。マスクの上側とはマスクを着用した際に上側にくる部分を指し、マスクの下側とはマスクを着用した際に下側にくる部分を指す。また、マスクの左側とはマスクを着用した際に使用者から見て左側にくる部分を指し、マスクの右側とはマスクを着用した際に使用者から見て右側にくる部分を指す。また、山折りは顔面被覆部を表面から見た時に山折りとなる折り目のことを指し、谷折りは顔面被覆部を表面から見た時に谷折りとなる折り目のことを指す。
【００２４】
図１〜図３を参照しながら、マスクの基本構成について説明する。図１は、本考案のマスクの一実施形態を示す平面図を表す。なお、図１において紙面奥側がマスクの裏面に相当し、紙面手前側がマスクの表面に相当する。図２は、本考案の一実施形態に係るマスクを着用している状態を示す側面図を表し、より具体的には、第１の谷折り線、第２の谷折り線、第１の山折り線及び第２の山折り線部分で顔面被覆部を折り曲げることなく固定部を耳にかけて着用している状態を表す。図３は、本考案の一実施形態に係るマスクを着用している状態を示す側面図を表し、より具体的には、固定部を耳にかけて着用したまま第１の谷折り線、第２の谷折り線、第１の山折り線及び第２の山折り線部分を折り曲げている状態を表す。図面には、顔面被覆部１０と固定部２０を有しているマスク１が記載されている。図１および図２では、破線は谷折り線を、一点鎖線は山折り線を表している。図３では、破線は隠れ線を表している。
【００２５】
顔面被覆部１０は不織布または紙で構成されている。顔面被覆部１０は、その一部のみが不織布または紙で構成されており、残りの部分が他の布、例えば、編布や織布等で構成されていてもよい。使用者の口や鼻から飛沫が飛散することを抑制しやすくする観点からは、顔面被覆部１０全体が不織布または紙で構成されていることが好ましく、顔面被覆部１０全体が不織布で構成されていることがより好ましい。
【００２６】
不織布を構成する繊維としては、例えば、綿・絹等の天然繊維、ポリエステル・ポリエチレン・ナイロン等の合成繊維が挙げられる。不織布は公知の方法によって製造されることができる。
【００２７】
紙としては、例えば、化学パルプ、機械パルプ、古紙パルプによって構成されている紙、化学パルプと化学繊維の混合物から構成されている紙、化学繊維のみから構成されている紙等を用いることができる。紙は公知の方法によって製造されることができる。
【００２８】
顔面被覆部１０は使用者の顔面の一部を覆う部分である。顔面被覆部１０はシート状であることが好ましい。顔面被覆部１０の平面載置状態の形状について、円形状、長円形状、多角形状、またはこれらを組み合わせた形状などにすることができるが、半円形状または半長円形状であることが好ましい。なお、長円形状には楕円形状、卵形状、角丸長方形状が含まれる。また、顔面被覆部１０は、平面載置状態で、使用者の口や鼻を覆うことができる程度の大きさであることが好ましい。平面載置状態とは、折り曲げることなく平面状に開いた状態のことを指す。
【００２９】
顔面被覆部１０の左側半分の領域には、顔面被覆部１０を谷折りしたことによって形成されている第１の谷折り線１１１と、顔面被覆部１０を山折りしたことによって形成されている第１の山折り線１２１が存在する。第１の谷折り線１１１は、その一部のみが顔面被覆部１０の左側半分の領域に存在していてもよいが、第１の谷折り線１１１の全体が顔面被覆部１０の左側半分の領域に存在していることが好ましい。第１の山折り線１２１は、その一部のみが顔面被覆部１０の左側半分の領域に存在していてもよいが、第１の山折り線１２１の全体が顔面被覆部１０の左側半分の領域に存在していることが好ましい。本明細書内において、顔面被覆部１０の左側半分の領域は、顔面被覆部１０を裏面即ちマスク１を着用した際に使用者側にくる面から見た時の顔面被覆部１０を左右方向に２等分割したときの左側半分の領域を指す。また、山折りは顔面被覆部１０を表面から見た時に山折りとなる折り目のことを指し、谷折りは顔面被覆部１０を表面から見た時に谷折りとなる折り目のことを指す。以下の説明でも同様である。
【００３０】
顔面被覆部１０の右側半分の領域には、顔面被覆部１０を谷折りしたことによって形成されている第２の谷折り線１１２と、顔面被覆部１０を山折りしたことによって形成されている第２の山折り線１２２が存在している。第２の谷折り線１１２は、その一部のみが顔面被覆部１０の右側半分の領域に存在していてもよいが、第２の谷折り線１１２の全体が顔面被覆部１０の右側半分の領域に存在していることが好ましい。第２の山折り線１２２は、その一部のみが顔面被覆部１０の右側半分の領域に存在していてもよいが、第２の山折り線１２２の全体が顔面被覆部１０の左側半分の領域に存在していることが好ましい。本明細書内において、顔面被覆部１０の右側半分の領域は、顔面被覆部１０を裏面即ちマスク１を着用した際に使用者側にくる面から見た時の顔面被覆部１０を左右方向に２等分割したときの右側半分の領域を指す。以下の説明でも同様である。
【００３１】
第１の谷折り線１１１、第２の谷折り線１１２、第１の山折り線１２１及び第２の山折り線１２２部分で顔面被覆部１０を折り曲げることなく固定部２０を耳にかけて着用している状態において、第１の山折り線１２１は第１の谷折り線１１１よりも下側に存在しており、第２の山折り線１２２は第２の谷折り線１１２よりも下側に存在していることが好ましい。第１の山折り線１２１の一部のみが第１の谷折り線１１１よりも下側に存在していてもよい。第１の山折り線１２１の全体が第１の谷折り線１１１よりも下側に存在していてもよい。また、第２の山折り線１２２の一部のみが第２の谷折り線１１２よりも下側に存在していてもよい。第２の山折り線１２２の全体が第２の谷折り線１１２よりも下側に存在していてもよい。このとき、第１の山折り線１２１は第１の谷折り線１１１と交わらないことがより好ましい。また、第２の山折り線１２２は第２の谷折り線１１２と交わらないことがより好ましい。上記のような構成とすることで、口とマスク１との間の空間をあけやすくすることができる。これにより、例えば、マスクを着用したまま飲食をすることや、鼻咽頭スワブ検査を行いやすくすることができる。
【００３２】
第１の谷折り線１１１、第２の谷折り線１１２、第１の山折り線１２１及び第２の山折り線１２２部分で顔面被覆部１０を折り曲げることなく固定部２０を耳にかけて着用している状態において、第１の谷折り線１１１、第２の谷折り線１１２、第１の山折り線１２１及び第２の山折り線１２２は、顔面被覆部１０の上側半分の領域にのみ存在していることが好ましい。当該構成とすることで、口とマスク１との間の空間をあけやすくすることができる。これにより、例えば、マスク１を着用したまま飲食をすることや、鼻咽頭スワブ検査を行いやすくすることができる。なお、顔面被覆部１０の下側半分の領域に、第１の谷折り線１１１、第２の谷折り線１１２、第１の山折り線１２１及び第２の山折り線１２２以外の他の谷折り線および山折り線が存在していても構わない。本明細書内において、顔面被覆部１０の上側半分の領域は顔面被覆部１０を上下方向に２等分割したときの上側半分の領域を指し、顔面被覆部１０の下側半分の領域は顔面被覆部１０を上下方向に２等分割したときの下側半分の領域を指す。以下の説明でも同様である。
【００３３】
第１の谷折り線１１１と第１の山折り線１２１が平行であり、第２の谷折り線１１２と第２の山折り線１２２が平行であることが好ましい。当該構成とすることで、口とマスク１との間の空間をあけやすくすることができる。これにより、例えば、マスク１を着用したまま飲食をすることや、鼻咽頭スワブ検査を行いやすくすることができる。なお、第１の谷折り線１１１と第１の山折り線１２１が平行でなくても構わない。第２の谷折り線１１２と第２の山折り線１２２が平行でなくても構わない。
【００３４】
顔面被覆部１０の平面載置状態において、第１の谷折り線１１１と第２の谷折り線１１２とによって形成される第１の角αと、第１の山折り線１２１と第２の山折り線１２２とによって形成される第２の角βは鈍角である。第１の角αと第２の角βを鈍角にすることにより、使用者の顔面の形状にフィットさせやすくすることができ、口とマスク１との間に空間をあけつつも飛沫の飛散抑制をしやすくすることができる。
【００３５】
上記第１の角αの角度は１３０度以上であることが好ましく、１３５度以上であることがより好ましく、１４０度以上であることがさらに好ましい。第１の角αの角度は１７５度以下であることが好ましく、１７２度以下であることがより好ましく、１６９度以下であることがさらに好ましい。なお、第１の角αの角度は１６５度であることが特に好ましい。
【００３６】
上記第２の角βの角度は１３０度以上であることが好ましく、１３５度以上であることがより好ましく、１４０度以上であることがさらに好ましい。第２の角βの角度は１７５度以下であることが好ましく、１７２度以下であることがより好ましく、１６９度以下であることがさらに好ましい。なお、第２の角βの角度は１６５度であることが特に好ましい。
【００３７】
第１の角αと第２の角βの角度を上記の範囲にすることにより、使用者の顔面の形状にフィットさせやすくすることができ、口とマスク１との間に空間をあけつつも飛沫の飛散抑制をしやすくすることができる。
【００３８】
第１の角αと第２の角βの角度は同じ大きさであることが好ましい。第１の角αと第２の角βを同じ角度にすることにより、使用者の顔面の形状にフィットさせやすくすることができ、口とマスク１との間に空間をあけつつも飛沫の飛散抑制をしやすくすることができる。なお、第１の角αの角度と第２の角βの角度とが異なっていても構わない。
【００３９】
顔面被覆部１０を谷折りしたことによって形成されている第３の谷折り線１１３が第１の角αの頂点と第２の角βの頂点を結ぶ線分と重なって存在していることが好ましい。第３の谷折り線１１３の一部のみが第１の角αの頂点と第２の角βの頂点を結ぶ線分と重なって存在していてもよい。また、第３の谷折り線１１３の全体が第１の角αの頂点と第２の角βの頂点を結ぶ線分と重なって存在していてもよい。これにより、マスク１を着用したまま第１の谷折り線１１１、第２の谷折り線１１２、第１の山折り線１２１及び第２の山折り線１２２部分を折り曲げやすくすることができる。
【００４０】
顔面被覆部１０を山折りしたことによって形成されている第３の山折り線１２３が、第１の角αの頂点から第１の角αの頂点と第２の角βの頂点を結ぶ線分の延在方向にのびている直線と重なって存在していることが好ましい。第３の山折り線１２３は第１の角αの頂点から上側に向かって延在していることが好ましい。第３の山折り線１２３の一部のみが第１の角αの頂点から第１の角αの頂点と第２の角βの頂点を結ぶ線分の延在方向にのびている直線と重なって存在していてもよい。第３の山折り線１２３の全体が第１の角αの頂点から第１の角αの頂点と第２の角βの頂点を結ぶ線分の延在方向にのびている直線と重なって存在していてもよい。これにより、マスク１を着用したまま第１の谷折り線１１１、第２の谷折り線１１２、第１の山折り線１２１及び第２の山折り線１２２部分を折り曲げやすくすることができる。
【００４１】
顔面被覆部１０を山折りしたことによって形成されている第４の山折り線１２４が、第２の角βの頂点から第１の角αの頂点と第２の角βの頂点を結ぶ線分の延在方向にのびている直線と重なって存在していることが好ましい。第４の山折り線１２４は、第２の角βの頂点から下側に向かって延在していることが好ましい。第４の山折り線１２４の一部のみが、第２の角βの頂点から第１の角αの頂点と第２の角βの頂点を結ぶ線分の延在方向にのびている直線と重なって存在していてもよい。第４の山折り線１２４の全体が、第２の角の頂点βから第１の角αの頂点と第２の角βの頂点を結ぶ線分の延在方向にのびている直線と重なって存在していてもよい。これにより、マスク１を着用したまま第１の谷折り線１１１、第２の谷折り線１１２、第１の山折り線１２１及び第２の山折り線１２２部分を折り曲げやすくすることができる。
【００４２】
顔面被覆部１０には、第１の谷折り線１１１、第２の谷折り線１１２、第３の谷折り線１１３、第１の山折り線１２１、第２の山折り線１２２、第３の山折り線１２３、第４の山折り線１２４の他にさらに谷折り線および山折り線が存在してもよいが、上記以外の谷折り線および山折り線が存在していないことが好ましい。
【００４３】
上記マスク１は、顔面被覆部１０の左右両側に備えられている固定部２０を有している。固定部２０は顔面被覆部１０の左右両端部に備えられていてもよい。固定部２０は顔面被覆部１０を使用者の顔面に固定する機能を有する部分である。
【００４４】
固定部２０の態様としては、例えば、図１〜図３のように紐状であって使用者の耳に掛けるものであってもよい。図示しないが、固定部はテープ状であって使用者の頬に貼り付けるものであってもよいし、使用者の後頭部を一周して顔面被覆部と該顔面被覆部の左右両側とをつなぐことによって顔面被覆部を使用者の顔面に固定するものであっても構わない。
【００４５】
固定部２０としては、例えば、紐、ゴム紐やマスク紐、ウレタンテープ等の市販品を用いることができる。伸縮性や太さ、断面形状など様々なものがあるが、適宜選定すればよい。また、図示しないが、固定部には固定部の長さを調整するためのアジャスターを取り付けても構わない。
【００４６】
顔面被覆部１０の上側半分の領域にのみ固定部２０が固定されていることが好ましい。これにより、マスク１を着用したまま第１の谷折り線１１１、第２の谷折り１１２線、第１の山折り線１２１及び第２の山折り線１２２部分を折り曲げやすくすることができ、口とマスク１との間の空間をあけやすくすることができる。
【００４７】
上記マスク１は、第１の谷折り線１１１、第２の谷折り線１１２、第１の山折り線１２１及び第２の山折り線１２２部分で顔面被覆部１０を折り曲げることなく着用することにより、口や鼻から飛沫が飛散することを抑制することができ、また、着用したまま第１の谷折り線１１１、第２の谷折り線１１２、第１の山折り線１２１及び第２の山折り線１２２部分を折り曲げることにより、口とマスク１との間に空間をあけることができるものであるから、食事をする際に好適に着用することができるものである。
【符号の説明】
【００４８】
１：    マスク
２：    使用者
１０：  顔面被覆部
１１１：第１の谷折り線
１１２：第２の谷折り線
１１３：第３の谷折り線
１２１：第１の山折り線
１２２：第２の山折り線
１２３：第３の山折り線
１２４：第４の山折り線
２０：  固定部
α：    第１の角
β：    第２の角
【図１】
0003234503.tif 000003
【図２】
0003234503.tif 000004
【図３】
0003234503.tif 000005